(57)【要約】【課題】きわめて簡単な構成でもって、これから乗務する本人が酒気を帯びていないか飲酒の有無を確認して替え玉・本人成り済ましによる飲酒運転の防止を確実に図ることが可能な飲酒検出装置及び飲酒運転防止システムを提供すること。【解決手段】車両を運転する乗務員であることを特定する本人特定音声識別手段１と、当該乗務員の呼気中に含まれるアルコールを検出するアルコール検出手段２を備え、本人特定音声識別手段における音声入力部１１とアルコール検出手段における呼気吹き込み部２１を互いに近接させて配設してなる。【選択図】    図１
2004305494.tif 000002
【特許請求の範囲】
【請求項１】
車両を運転する乗務員であることを特定するための本人特定音声識別手段と、当該乗務員の呼気中に含まれるアルコールを検出するためのアルコール検出手段を備え、前記本人特定音声識別手段における音声入力部とアルコール検出手段における呼気吹き込み部を互いに近接させて配設してなることを特徴とする飲酒検出装置。
【請求項２】
前記呼気吹き込み部が、当該乗務員の呼気ないし運転室内の空気を吸入し得るように構成されている請求項１記載の飲酒検出装置。
【請求項３】
前記請求項１又は２に記載の飲酒検出装置を備え、該飲酒検出装置から得られた情報を基にして、当該乗務員が運転している車両を走行不能にすることを特徴とする飲酒運転防止システム。
【発明の詳細な説明】
【０００１】
【発明の属する技術分野】
本発明は、飲酒運転を防止することを目的とした飲酒検出装置に関し、特に、業務としてトラックやバス、タクシー等の自動車や電車、飛行機、などを運転する乗務員が、酒気帯び・飲酒運転することがないように乗務する前ならびに乗務中に飲酒の有無を確認し得る飲酒検出装置及び該装置を用いた飲酒運転防止システムに関するものである。
【０００２】
【従来の技術】
飲酒運転、とりわけ業務としてトラックやバス、タクシー等を運転する乗務員による飲酒運転は、重大な交通事故の原因となるため、従来からいろいろな飲酒運転防止策が提案されている。例えば、運転者の呼気からアルコールが検出されたら自動車のキースイッチをロックしてスタータモータの始動を不可能にするもの（特許文献１参照。）や、走行車両の車内のアルコール成分を走行状態のまま遠隔的に検出するもの（特許文献２参照。）等がある。
また、乗車する前に、アルコール検出器を使って乗務員の呼気を調べることにより飲酒運転の防止を図っているケースも知られている。
いずれの場合も、酒気帯び・飲酒運転を確実に防止するには、その前提として飲酒の有無を確認する際に替え玉・成り済ましがないように乗務員本人であることが認証されていなければならない。
【０００３】
【先行技術文献の開示】
【特許文献１】
特開平８−１５０８５３号公報
【特許文献２】
特開２０００−２３０９００号公報
【０００４】
【発明が解決しようとする課題】
しかしながら、これら従来から提案されているものでは、アルコール検出手段と本人特定手段とがシステム的には連携されていても、アルコール検出手段における呼気を取り込む部分と本人特定手段における情報を入力する部分とが個別に配置されて構成されていたので、実際に乗務する本人ではない者が替え玉になり本人に成り済ますことが容易に可能であり、確実に飲酒運転を防止することができないきらいがあった。
本発明はこのような現状に鑑みてなされたものであり、きわめて簡単な構成でもって、これから乗務する本人が酒気を帯びていないか飲酒の有無を確認して替え玉・本人成り済ましによる飲酒運転の防止を確実に図ることが可能な飲酒検出装置および該装置を用いた飲酒運転防止システムを提供せんとするものである。
【０００５】
【課題を解決するための手段】
斯かる目的を達成する本発明の飲酒検出装置は、車両を運転する乗務員であることを特定するための本人特定音声識別手段と、当該乗務員の呼気中に含まれるアルコールを検出するためのアルコール検出手段を備え、前記本人特定音声識別手段における音声入力部とアルコール検出手段における呼気吹き込み部を互いに近接させて配設してなることを特徴としたものである（請求項１）。
この際、前記呼気吹き込み部を、当該乗務員の呼気ないし運転室内の空気を吸入し得るように構成することが好ましい（請求項２）。
また、本発明に係る飲酒運転防止システムは、前記飲酒検出装置から得られた情報を基にして、当該乗務員が運転している車両を走行不能にすることを特徴としたものである（請求項３）。
【０００６】
【発明の実施の形態】
以下、本発明の具体的な一実施例を図面を参照しながら詳細に説明するが、本発明は図示実施例のものに限定されるものではない。
【０００７】
本発明に係る飲酒検出装置は基本的に、車両を運転する乗務員であることを特定するための本人特定音声識別手段１と、当該乗務員の呼気中に含まれるアルコールを検出するためのアルコール検出手段２とを備えて構成される。
【０００８】
本人特定音声識別手段１は、車両を運転しようとする者が指定された乗務員であるか否かを特定するためのものであり、マイク等の音声入力部１１から入力された音声を、例えば、コンピュータに搭載されたハードディスク等の記憶媒体に予め記録された乗務員の音声と比較することにより識別（本人特定）を行うことができるように構成されている。ちなみに、この本人特定音声識別手段１としては、公知の音声識別装置を利用することができる。
【０００９】
一方、アルコール検出手段２としては、呼気中のアルコールを感知検出するアルコールセンサを備え、そのアルコールセンサに呼気を吹きかけることにより呼気中のアルコールを検出する仕組みの簡易タイプのもの等、公知のものを使用し得る。
この際、上記した簡易タイプのものでは、検査時に、直前に検査した者による呼気の影響を受けて誤動作したり、被検者（乗務員）が呼気を出しているふりをして逃れられる恐れがあるので、アルコール検出手段２に呼気を吸引し得る吸引機を内蔵させて、被検者（乗務員）の呼気ないし運転室内の空気を強制的に吸入し得るように構成することが好ましい。
【００１０】
そして、これら本人特定音声識別手段１における音声入力部１１とアルコール検出手段２における呼気吹き込み部２１は、互いにできるだけ近接させて配設する。具体的に図示実施例のものでは、入力部本体３を構成しているケース３１に、本人特定音声識別手段１における音声入力部１１としてのマイクを収納設置すると共に、このマイク（音声入力部１１）の外周を取り囲むようにしてアルコール検出手段２における呼気吹き込み部２１としての多数個の穴を開穿配設してなる。この時、呼気吹き込み部２１としての多数個の穴は、吸引呼気ミキシング部２２を通して呼気吸引用チューブ２３に連通され、その呼気吸引用チューブ２３が図示していない吸引ポンプを介してアルコール検出手段２に接続されている。従って、被検者（乗務員）が入力部本体３に形成された音声入力部１１に向かって例えば本名や暗証番号等を発声すると、音声は音声入力部（マイク）１１から電気コード１２を介して電気的に本人特定音声識別手段１に入力され、同時に呼気は、呼気吹き込み部（多数個の穴）２１から一旦吸引呼気ミキシング部２２内に吸引され、呼気吸引用チューブ２３を通してアルコール検出手段２に導かれることになる。
【００１１】
なお、上記吸引呼気ミキシング部２２は、呼気吹き込み部（多数個の穴）２１から吹き込まれた呼気を外気と均一にミキシングした上でアルコール検出手段２に送ることができるように一定の容積を備えた室であり、本発明にとって必ずしもなくとも良い。
また、図中の符号３２は、本人特定音声識別手段１およびアルコール検出手段２をオン・オフさせるためのスイッチを示す。
【００１２】
而して、アルコール検出手段２から得られた情報は、本人特定音声識別手段１から得られた情報とともに判定手段（コンピュータのハードディスクやメモリ等の記憶媒体に組み込まれた電子プログラムソフト）４で演算され、この判定手段４でもって、最終的に運転の可否が判定される。すなわち、アルコール検出手段４からアルコールが検出された場合や、アルコール検出手段４からアルコールが検出されなくとも本人特定音声識別手段１によりこれから車両を運転しようとする者が指定の乗務員でないことが確認された場合には、運転不可であるとの判定が出され、その結果、警報手段（図示せず）から警報を発するように指令を出したり、当該乗務員が運転している車両を走行不能にするように指令を出すようにするものである。
なお、当該乗務員が運転している車両を走行不能にするための具体的な手段としては、例えば、特開平８−１５０８５３号に開示されているごとき公知の手段を利用することができる。
【００１３】
また、乗務員の氏名、住所、生年月日、所属名などの本人を特定しえる識別用情報や、勤務情報や運転スケジュール等の本人の業務に付随する情報等の乗務員の情報は、コンピュータに搭載されたハードディスク等の記憶媒体にデータベースとして予め格納しておき、本人特定音声識別手段１ないしは上記判定手段４と連携させる。
【００１４】
更に、本発明に係る飲酒検出装置及び飲酒運転防止システムで得られた情報等は、コードもしくは通信回線（一般公衆回線）又は無線などを使って、車両管理システムへ送信するようにしても良い。
【００１５】
【発明の効果】
本発明の請求項１に係る飲酒検出装置は斯様に、車両を運転する乗務員であることを特定するための本人特定音声識別手段と、当該乗務員の呼気中に含まれるアルコールを検出するためのアルコール検出手段を備え、本人特定音声識別手段における音声入力部とアルコール検出手段における呼気吹き込み部を互いに近接させて配設してなるので、きわめて簡単な構成でもって、これから乗務する本人が酒気を帯びていないか飲酒の有無を検出して替え玉・本人成り済ましによる飲酒運転の防止を確実に図ることが可能となる。
すなわち、被検者（乗務員）が本人特定音声識別手段の音声入力部に向かって本人を特定するために音声を発すると不可避的にアルコール検出手段の呼気吹き込み部に呼気が吹き込まれることになるので、実際に乗務する本人ではない者が替え玉になり本人に成り済ますことは不可能となり、その結果、替え玉・本人成り済ましによる飲酒運転を確実に防止することが可能となる。
【００１６】
本発明の請求項２に係る飲酒検出装置によれば、呼気吹き込み部を、当該乗務員の呼気ないし運転室内の空気を吸入し得るように構成してなるので、呼気を出しているふりをして逃れることを防止して確実に検査することができると共に、仮に乗車後に飲酒をした場合に、運転室内の空気を強制的に吸入してアルコールの検出を行なうことが可能となる。
しかも、吸引状態で音声が音声入力部（マイク）に到達するために本人特定音声識別手段に入力される音声の質が通常とは異なり、本装置独自の音声信号となるので、予め録音された音声入力では認証が得られないことになり、よって一層確実な本人特定を行なうことが可能となる。
【００１７】
本発明の請求項３に係る飲酒運転防止システムによれば、飲酒検出装置から得られた情報を基にして、当該乗務員が運転している車両を走行不能にしてなるので、確実に飲酒運転を防止することが可能となる。
【００１８】
以上、本発明に係る飲酒検出装置よれば、既存の本人特定音声識別手段およびアルコール検出手段を用いて、極めて簡単な構成でもって安価で且つ高い信頼性をもって当該者の飲酒の有無を検出し得、そして本飲酒検出装置を用いた飲酒運転防止システムによれば、替え玉・本人成り済ましによる飲酒運転を含めて飲酒運転を確実に防止することが出来るものである。
【図面の簡単な説明】
【図１】本発明に係る飲酒検出装置における入力部の実施の一例を示すものであり、（ａ）は正面図、（ｂ）は側面断面図。
【図２】同構成ブロック図。
【符号の説明】
１：本人特定音声識別手段            ２：アルコール検出手段
３：入力部本体
１１：音声入力部                    ２１：呼気吹き込み部
【図１】
2004305494.tif 000003
【図２】
2004305494.tif 000004